(57)【特許請求の範囲】
【請求項１】
支柱側に配置されたベース金具と、該ベース金具の外方に配置されてビームを支持するビーム支持金具とを備え、前記ベース金具とビーム支持金具とは、いずれか一方に設けられた半球凸状の第一の取付面が、他の一方に設けられた半球凹状の第二の取付面に対向配置されると共に、前記両取付面に連通して設けられた第一のボルト孔と第二のボルト孔とに挿通された金具取付ボルトが支柱の取付孔に貫通されて、支柱に取付けられ、かつ前記取付面に設けられた第一のボルト孔は、その左右の少なくともいずれか一方に横方向のガイド溝が形成されると共に、該ガイド溝の上下には止め孔が形成され、さらに第二のボルト孔は縦長孔部と横長孔部からなる十字状の孔となされると共に、前記横長孔部の端縁又はその延長上に突起が形成され、支柱に対してビームを左右方向に調整する際には、前記突起をベース金具のガイド溝に挿入して、該ガイド溝に沿って移動させ、支柱に対してビームを上下方向に傾斜させる際には、前記突起をベース金具の止め孔に挿入することができるようにしたことを特徴とする防護柵のビーム取付構造。
【請求項２】
半球凸状の第一の取付面がベース金具に設けられると共に、半球凹状の第二の取付面がビーム支持金具の基端に設けられた取付壁の支柱側の面に設けられると共に、該取付壁のビーム側の面は半球凸状面となされていることを特徴とする請求項１に記載の防護柵のビーム取付構造。
【請求項３】
前記ビーム支持金具は、ビーム端部を受けるビーム受け金具と、該ビーム受け金具に被せられビーム端部を覆う被せ金具とからなり、前記ベース金具に設けられた取付面に対向配置される取付面が、ビーム受け金具に設けられていることを特徴とする請求項１又は２に記載の防護柵のビーム取付構造。
【請求項４】
前記ビーム受け金具の取付壁から外方に向けてビーム受け部が突設され、該ビーム受け部の両側端には、長手方向に縦壁が立設されると共に、該縦壁の取付壁側が切り欠かれて切欠部が形成され、一方、前記ビーム受け金具に被せられる被せ金具の前記切欠部に対応する位置には、前記切欠部に嵌合する突壁が形成されていることを特徴とする請求項３に記載の防護柵のビーム取付構造。
【請求項５】
前記ビーム受け金具の縦壁及び被せ金具の側面部を貫通して、ビーム受け金具及び被せ金具とビームとを固定するためのビーム固定用ボルト及び該ビーム固定用ボルトに螺合される筒状のナットを挿入させる通孔が形成され、該通孔は、前記ビーム固定用ボルト及びナットに形成されたフランジ状の頭部を突出させない深さの座繰り部が形成されると共に、ビーム固定用ボルト及びナットのいずれか一方の頭部下方に形成された多角形状の首下部に対応した多角形部が形成されていることを特徴とする請求項３又は４に記載の防護柵のビーム取付構造。
【発明の詳細な説明】
【技術分野】
【０００１】
本発明は道路等に設置されるパネル柵やビーム柵、メッシュフェンス柵等の防護柵のビーム取付構造に関するものである。
【背景技術】
【０００２】
従来、道路等に設置される防護柵のビーム取付構造としては、例えば、ビームが支柱側面に取付けられた防護柵のビーム取付構造において、支柱側面に当接されるベース金具とビーム端部に取付けられたビーム保持金具とを有し、このベース金具の外側面が上下方向に曲面とされた円筒状でこの円筒の曲率中心が支柱中心に一致する接合部となされ、ビーム保持金具の先端部が前記ベース金具接合面に対応した形状の樋状に形成され、前記ベース金具の接合面にビーム保持金具の先端を押し当て螺着されたことによりビームが支柱に取付けられた防護柵のビーム取付構造が提案されている。（特許文献１）
【０００３】
【特許文献１】特開平０９−１２５３２８号公報
【発明の概要】
【発明が解決しようとする課題】
【０００４】
しかしながら、上記防護柵のビーム取付構造では、傾斜のある設置面においては有効なものであるが、道路がカーブしている設置面においては、水平方向にビームを調整することができないため、別の取付金具などを品揃えしておく必要があった。
【０００５】
そこで本発明は、傾斜のある設置面においても、また水平方向にビームを調整する必要があるカーブ地点などにおいても、同一の取付金具を用いて設置可能な防護柵のビーム取付構造を提供せんとするものである。
【課題を解決するための手段】
【０００６】
上記目的を達成するために、本発明は次のような構成としている。
すなわち、本発明に係る防護柵のビーム取付構造は、
支柱側に配置されたベース金具と、該ベース金具の外方に配置されてビームを支持するビーム支持金具とを備え、前記ベース金具とビーム支持金具とは、いずれか一方に設けられた半球凸状の第一の取付面が、他の一方に設けられた半球凹状の第二の取付面に対向配置されると共に、前記両取付面に連通して設けられた第一のボルト孔と第二のボルト孔とに挿通された金具取付ボルトが支柱の取付孔に貫通されて、支柱に取付けられ、かつ前記取付面に設けられた第一のボルト孔は、その左右の少なくともいずれか一方に横方向のガイド溝が形成されると共に、該ガイド溝の上下には止め孔が形成され、さらに第二のボルト孔は縦長孔部と横長孔部からなる十字状の孔となされると共に、前記横長孔部の端縁又はその延長上に突起が形成され、支柱に対してビームを左右方向に調整する際には、前記突起をベース金具のガイド溝に挿入して、該ガイド溝に沿って移動させ、支柱に対してビームを上下方向に傾斜させる際には、前記突起をベース金具の止め孔に挿入することができるようにしたことを特徴とするものである。
【０００７】
また、本発明に係る防護柵のビーム取付構造は、半球凸状の第一の取付面がベース金具に設けられると共に、半球凹状の第二の取付面がビーム支持金具の基端に設けられた取付壁の支柱側の面に設けられると共に、該取付壁のビーム側の面は半球凸状面となされていることを特徴とするものである。
【０００８】
また、本発明に係る防護柵のビーム取付構造は、前記ビーム支持金具は、ビーム端部を受けるビーム受け金具と、該ビーム受け金具に被せられビーム端部を覆う被せ金具とからなり、前記ベース金具に設けられた取付面に対向配置される取付面が、ビーム受け金具に設けられていることを特徴とするものである。
【０００９】
また、本発明に係る防護柵のビーム取付構造は、前記ビーム受け金具の取付壁から外方に向けてビーム受け部が突設され、該ビーム受け部の両側端には、長手方向に縦壁が立設されると共に、該縦壁の取付壁側が切り欠かれて切欠部が形成され、一方、前記ビーム受け金具に被せられる被せ金具の前記切欠部に対応する位置には、前記切欠部に嵌合する突壁が形成されていることを特徴とするものである。
【００１０】
また、本発明に係る防護柵のビーム取付構造は、前記ビーム受け金具の縦壁及び被せ金具の側面部を貫通して、ビーム受け金具及び被せ金具とビームとを固定するためのビーム固定用ボルト及び該ビーム固定用ボルトに螺合される筒状のナットを挿入させる通孔が形成され、該通孔は、前記ビーム固定用ボルト及びナットに形成されたフランジ状の頭部を突出させない深さの座繰り部が形成されると共に、ビーム固定用ボルト及びナットのいずれか一方の頭部下方に形成された多角形状の首下部に対応した多角形部が形成されていることを特徴とするものである。
【発明の効果】
【００１１】
本発明に係る防護柵のビーム取付構造によれば、支柱側に配置されたベース金具と、該ベース金具の外方に配置されてビームを支持するビーム支持金具とを備え、前記ベース金具とビーム支持金具とは、いずれか一方に設けられた半球凸状の第一の取付面が、他の一方に設けられた半球凹状の第二の取付面に対向配置されると共に、前記両取付面に連通して設けられた第一のボルト孔と第二のボルト孔とに挿通された金具取付ボルトが支柱の取付孔に貫通されて、支柱に取付けられ、かつ前記取付面に設けられた第一のボルト孔は、その左右の少なくともいずれか一方に横方向のガイド溝が形成されると共に、該ガイド溝の上下には止め孔が形成され、さらに第二のボルト孔は縦長孔部と横長孔部からなる十字状の孔となされると共に、前記横長孔部の端縁又はその延長上に突起が形成され、支柱に対してビームを左右方向に調整する際には、前記突起をベース金具のガイド溝に挿入して、該ガイド溝に沿って移動させ、支柱に対してビームを上下方向に傾斜させる際には、前記突起をベース金具の止め孔に挿入することができるようにしているため、カーブ地点など左右方向（水平方向）にビームを調整して防護柵を設置する場合も、傾斜地など上下方向にビームを調整して防護柵を設置する場合も、同一の金具を用いて防護柵を効率的にかつ確実に設置することができる。
【００１２】
また本発明に係る防護柵のビーム取付構造によれば、半球凸状の第一の取付面がベース金具に設けられると共に、半球凹状の第二の取付面がビーム支持金具の基端に設けられた取付壁の支柱側の面に設けられると共に、該取付壁のビーム側の面は半球凸状面となされているため、ベース金具とビーム支持金具の調整をスムーズに実施することができる。
【００１３】
また本発明に係る防護柵のビーム取付構造によれば、前記ビーム支持金具は、ビーム端部を受けるビーム受け金具と、該ビーム受け金具に被せられビーム端部を覆う被せ金具とからなり、前記ベース金具に設けられた取付面に対向配置される取付面が、ビーム受け金具に設けられているため、ベース金具とビーム受け金具の取付面を合せて金具取付ボルトで固定すれば、ビームをビーム受け金具に仮置きすることができ、施工性が向上できる。
【００１４】
また本発明に係る防護柵のビーム取付構造によれば、前記ビーム受け金具の取付壁から外方に向けてビーム受け部が突設され、該ビーム受け部の両側端には、長手方向に縦壁が立設されると共に、該縦壁の取付壁側が切り欠かれて切欠部が形成され、一方、前記ビーム受け金具に被せられる被せ金具の前記切欠部に対応する位置には、前記切欠部に嵌合する突壁が形成されているため、スパナなどの締付用工具を用いてベース金具とビーム受け金具を金具取付ボルトで固定するために、ボルト頭或いはナットを締付用工具により締め付ける際、ビーム受け部の縦壁に邪魔されることなく、締付用工具のストロークを確保することができるため、施工性を向上することができる。
【００１５】
また本発明に係る防護柵のビーム取付構造によれば、前記ビーム受け金具の縦壁及び被せ金具の側面部を貫通して、ビーム受け金具及び被せ金具とビームとを固定するためのビーム固定用ボルト及び該ビーム固定用ボルトに螺合される筒状のナットを挿入させる通孔が形成され、該通孔は、前記ビーム固定用ボルト及びナットに形成されたフランジ状の頭部を突出させない深さの座繰り部が形成されると共に、ビーム固定用ボルト及びナットのいずれか一方の頭部下方に形成された多角形状の首下部に対応した多角形部が形成されているため、ビーム表面にビーム固定用ボルト頭或いはナットが突出することがなく、外観上好ましいと共に、人の手が当たってもケガを防止することができるのに加えて、ビーム固定用ボルト或いはナットを締め付ける際、首下部と多角形部とが当接されるので、ビーム固定用ボルト或いはナットの一方を保持しなくても、締付用工具をもって他方のみを締め付けるだけでよく、施工性を向上することができる。
【図面の簡単な説明】
【００１６】
【図１】本発明に係る防護柵のビーム取付構造の実施の一形態を示す正面図である。
【図２】図１に示す防護柵のビーム取付構造の取付方法を示す説明図である。
【図３】図１に示す防護柵のビーム取付構造に用いる、（ａ）はベース金具の斜視図、（ｂ）はビーム受け金具を示す斜視図である。
【図４】図１に示す防護柵のビーム取付構造に用いる、（ａ）はベース金具の外側面を示す正面図、（ｂ）はビーム受け金具の凹曲面を示す正面図である。
【図５】図１に示す防護柵のビーム取付構造に用いるビーム受け金具と被せ金具を示す斜視図である。
【図６】図１に示す防護柵のビーム取付構造に用いるビーム受け金具とビーム固定用ボルト・ナットの斜視図である。
【図７】図１に示す防護柵のビーム取付構造において、締付用工具によるビーム固定用ボルト・ナットの締付作業を示す説明図である。
【図８】図１に示す防護柵のビーム取付構造の、（ａ）は平坦地に設置した状態を示す正面図、（ｂ）は傾斜地に設置した状態を示す正面図である。
【図９】図１に示す防護柵のビーム取付構造の、（ａ）は道路の直線部に設置した状態を示す平面図、（ｂ）は道路のカーブ地点に設置した状態を示す平面図である。
【発明を実施するための形態】
【００１７】
本発明の実施の形態について、図面に基づき以下に具体的に説明する。
図において、１は間隔をおいて地面に複数立設された支柱であり、２は支柱１側面に当接されるベース金具であり、Ｓはビーム支持金具であって、該ビーム支持金具Ｓは、ベース金具２の外方に配置されてビームＢ端部を受けるビーム受け金具３と、前記ビーム受け金具３に被せられビームＢ端部を覆う被せ金具４とから構成されている。
【００１８】
ベース金具２には、図３に示されるように、半球凸状の第一の取付面である外側面２１が設けられ、ビーム受け金具３の基端には、ベース金具２の外側面２１の形状に対応した半球凹状の第二の取付面である凹曲面３１が設けられて、外側面２１と凹曲面３１とが対向配置されて当接されると共に、支柱１に穿設された取付孔１１に貫通された金具取付ボルト５が、外側面２１と凹曲面３１に連通して設けられた第一のボルト孔２２と第二のボルト孔３２とに挿通されて、金具取付ボルト５と金具取付ナット６とが螺合されて支柱１に取付けられている。
【００１９】
ベース金具２の外側面２１に設けられた第一のボルト孔２２は円形状となされ、その左右にそれぞれ横方向のガイド溝２３が２個形成されると共に、該ガイド溝２３の上下には二個一対の止め孔２４がそれぞれ形成され、またビーム受け金具３の凹曲面３１に設けられた第二のボルト孔３２は縦長孔部３２１と横長孔部３２２からなる十字状の孔となされると共に、前記横長孔部３２２の両端縁３２３には突起３３が形成されている。
【００２０】
ベース金具２の外側面２１のガイド溝２３の左右には、傾斜調整用目印孔２５が縦方向に３段設けられている。真ん中の傾斜調整用目印孔２５はガイド溝２１の延長線上に設けられ、その上下に位置する傾斜調整用目印孔２５は止め孔２４に対応する位置に設けられている。このように、傾斜調整用目印孔２５を設けることによって、ベース金具２にビーム受け金具３が取付けられた状態、すなわち、ガイド溝２３や止め孔２４が外方から見えない状態においても、後述する突起用目印孔３９とをもって、ビームＢの傾斜に対応する調整を行いやすくすることができる。
【００２１】
さらに、真ん中の傾斜調整用目印孔２５の横には間隔をおいて水平調整用目印孔２６が設けられている。このように、水平調整用目印孔２６を設けることによって、ベース金具２にビーム受け金具３が取付けられた状態、すなわち、ガイド溝２３や止め孔２４が外方から見えない状態においても、後述する突起用目印孔３９とをもって、ビームＢのカーブ地点に対応する調整を行いやすくすることができる。
【００２２】
ビーム受け金具３の取付面である凹曲面３１を備えた取付壁３４から先端に向けてビーム受け部３５が突設され、該ビーム受け部３５の両側端には、長手方向に縦壁３６が立設されると共に、該縦壁３６の取付壁３４側が切り欠かれて切欠部３７が形成され、一方、前記ビーム受け金具３に被せられる被せ金具４の前記切欠部３７に対応する位置には、前記切欠部３７に嵌合する突壁４１が形成されている。つまり、ビーム受け金具３に被せ金具４を被せた際、突壁４１と切欠部３７とが嵌合して、金具同士がずれない様になされている。
【００２３】
前記ビーム受け金具３の縦壁３６及び被せ金具４の側面部４２を貫通して、ビーム受け金具３及び被せ金具４とビームＢとを固定するためのビーム固定用ボルト７及び該ビーム固定用ボルト７に螺合される筒状のナット８を挿入させる通孔３８、４３がそれぞれ形成され、外側に位置する通孔４３の表面側は前記ビーム固定用ボルト７及びナット８に形成されたフランジ状の頭部７１、８１を突出させない深さの段部が形成されて座繰り部４４となされた円形状の座繰り孔となされると共に、前記通孔４３の奥側は、ビーム固定用ボルト７の頭部７１下方に形成された六角形状の首下部７２に対応した六角形状に形成されて六角形状部、つまり六角形状孔となされている。また内側に位置する通孔３８は、前記通孔４３の奥側と同様に、ビーム固定用ボルト７の頭部７１下方に形成された六角形状の首下部７２に対応した六角形状に形成されて六角形状部、つまり六角形状孔となされている。このようにすることで、ビーム固定用ボルト７及びナット８が被せ金具４の表面から突出されないので、人の手等が当たっても、ケガを防止することができる。
【００２４】
そして、本形態においては、ビーム受け金具３の縦壁３６及び被せ金具４の側面部４２に形成されたそれぞれの通孔３８、４３をビーム固定用ボルト７の六角形状の首下部７２に対応した六角孔形状としているため、ビーム固定用ボルト７をビーム支持金具の左右どちらからでも挿入螺合することができ、ビームＢを取付ける作業効率を向上することができ好ましい。
【００２５】
ビーム受け金具３には、突起３３の延長線上の取付壁３４の側面に突起用目印孔３９が設けられており、ベース金具２にビーム受け金具３が取付けられた状態、すなわち、ベース金具２のガイド溝２３、止め孔２４及びビーム受け金具３の突起３３が外方から見えない状態においても、突起３３の位置を認識することができ、上述の傾斜調整用目印孔２５及び水平調整用目印孔２６と当該突起用目印孔３９とをもって、ビームＢの角度調整を行いやすくすることができる。
【００２６】
なお、本形態においては、筒状のナット８は、フランジ状の頭部８１の下方に円筒状の筒状部８２が形成され、該筒状部８２の内周面に雌ネジが形成されており、筒状部８２の外形は円筒状となされ、筒状部８２の外径はビーム受け金具３の縦壁３６及び被せ金具４の側面部４２に形成された六角形状の通孔３８、４３の内接円より小径となされている。また、フランジ状の頭部８１の中央には六角孔８３が形成されており、この六角孔８３に六角レンチを挿入して締め付ける様になされている。
【００２７】
次に、支柱１にビームＢを取付ける方法を説明する。
図２に示す様に、支柱１に穿設された取付孔１１に金具取付ボルト５を挿入し、該金具取付ボルト５をベース金具２の第一のボルト孔２２及びビーム受け金具３の第二のボルト孔３２を貫通させて、金具取付ナット６をスパナ等の締付用工具Ｋを用いて螺合する。次に、ビームＢをビーム受け金具３のビーム受け部３５に載置し、その上から被せ金具４を被せて、ビームＢ端部に形成された取付孔Ａとビーム受け金具３の通孔３８及び被せ金具４の通孔４３の孔位置を合せて、ビーム固定用ボルト７を貫通させ、ナット８を螺合して、支柱１にビームＢが取付けられる。
【００２８】
そして、支柱１に対してビームＢを左右方向に調整する際には、突起３３をベース金具２のガイド溝２３に挿入して、該ガイド溝２３に沿って移動させることができるようになされている。かようになされているため、ビームＢの調整作業を効率的に確実に実施することができる。また、支柱１に対してビームＢを上下方向に傾斜させる際には、突起３３をベース金具２の止め孔２４に挿入することができるようになされている。かようになされているため、ビームＢを左右方向に調整する時と同様、ビームＢの調整作業を効率的に確実に実施することができ好ましい。
【００２９】
突起３３とガイド溝２３及び止め孔２４の大きさについては、突起３３がガイド溝２３及び止め孔２４に挿入できる大きさであればよいが、ガイド溝２３及び止め孔２４に対して極端に突起３３が小さいと、突起３３がガイド溝２３及び止め孔２４に挿入された際、ベース金具２とビーム受け金具３のガタツキが大きくなり、ビームＢの方向を調整しずらくなるため、ガイド溝２３及び止め孔２４に対して、突起３３の大きさを若干だけ小さくするのがよい。かようにすれば、ビームＢの方向を調整する際、ビームＢがほとんど下方にずれることなく、ビームＢを確実に保持することができ好ましい。
【００３０】
締付用工具Ｋで金具取付ナット６を回動する際、ビーム受け金具３に形成された切欠部３７により、縦壁３６に締付用工具Ｋが邪魔されることなく、締付用工具Ｋのストロークを大きくとることができるため、防護柵の施工性を向上することができる。
【００３１】
また、ビーム固定用ボルト７の六角形状の首下部７１が被せ金具４の六角形状の通孔４３に引っ掛るので、ビーム固定用ボルト７を手で保持しなくても、六角レンチ等の締付用工具Ｋでナット８を締め付けることができ、防護柵の施工性を向上させることができる。
【００３２】
なお、上述の形態においては、突起３３をビーム受け金具３の横長孔部３２２の端縁３２３に形成しているが、これに限定されるものではなく、横長孔部３２２の延長上に形成してもよい。
【００３３】
また、ベース金具２にガイド溝２３及び止め孔２４を形成し、ビーム受け金具３に突起３３を形成するようにしているが、逆に、ベース金具２に突起を形成し、ビーム受け金具２にガイド溝及び止め孔を形成してもよい。
【００３４】
また、ビーム受け金具３に形成された通孔３８は、ビーム固定用ボルト７の首下部７１が挿入できれば形状は特に限定されないが、被せ金具４に形成された通孔４３と同形同大にしておけば、首下部７１のかかりを確実にできると共に、縦壁３６及び側面部４２の厚みを薄くすることができる。
【００３５】
また、ビーム固定用ボルト７に六角形状の首下部７１を形成しているが、ナット８の頭部８１下方に首下部を形成し、ビーム固定用ボルト７を回動させてナットと螺合するようにしてもよい。
【００３６】
また、ビーム固定用ボルト７或いはナット８に形成する首下部の形状については、六角形状に限定されるものではなく、四角形状や、八角形状といった多角形状であればよい。要は、ボルト・ナットを螺合する際、一方を手で保持しなくても、締付用工具Ｋをもって他方のみを締め付けるようにでき、防護柵の施工性を向上できればよい。
【００３７】
また、ビーム受け金具３の縦壁３６が被せ金具４の側面部４２の外方に位置するようになされてもよく、その形態においては、ビーム受け金具３の縦壁３６に座繰り部が形成されることとなる。
【００３８】
また本形態において、突起用目印孔３９は凹孔となされているが、これに限定されるものではなく、突起であってもよい。要は、ビームＢの角度調整を行う際の目印となればよい。
【産業上の利用可能性】
【００３９】
本発明に係る防護柵のビーム取付構造によれば、支柱側に配置されたベース金具と、該ベース金具の外方に配置されてビームを支持するビーム支持金具とを備え、前記ベース金具とビーム支持金具とは、いずれか一方に設けられた半球凸状の第一の取付面が、他の一方に設けられた半球凹状の第二の取付面に対向配置されると共に、前記両取付面に連通して設けられた第一のボルト孔と第二のボルト孔とに挿通された金具取付ボルトが支柱の取付孔に貫通されて、支柱に取付けられ、かつ前記取付面に設けられた第一のボルト孔は、その左右の少なくともいずれか一方に横方向のガイド溝が形成されると共に、該ガイド溝の上下には止め孔が形成され、さらに第二のボルト孔は縦長孔部と横長孔部からなる十字状の孔となされると共に、前記横長孔部の端縁又はその延長上に突起が形成され、支柱に対してビームを左右方向に調整する際には、前記突起をベース金具のガイド溝に挿入して、該ガイド溝に沿って移動させ、支柱に対してビームを上下方向に傾斜させる際には、前記突起をベース金具の止め孔に挿入することができるようにしているため、カーブ地点など左右方向（水平方向）にビームを調整して防護柵を設置する場合も、傾斜地など上下方向にビームを調整して防護柵を設置する場合も、同一の金具を用いて防護柵を効率的にかつ確実に設置することができる防護柵のビーム取付構造として、好適に利用することができる。
【符号の説明】
【００４０】
１    支柱
１１  取付孔
２    ベース金具
２１  外側面
２２  第一のボルト孔
２３  ガイド溝
２４  止め孔
２５  傾斜調整用目印孔
２６  水平調整用目印孔
３    ビーム受け金具
３１  凹曲面
３２  第二のボルト孔
３３  突起
３４  取付壁
３５  ビーム受け部
３６  縦壁
３７  切欠部
３８  通孔
３９  突起用目印孔
４    被せ金具
４１  突壁
４２  側面部
４３  通孔
４４  座繰り部
５    金具取付ボルト
６    金具取付ナット
７    ビーム固定用ボルト
７１  首下部
７２  頭部
８    ナット
８１  頭部
８２  筒状部
８３  六角孔
Ｓ    ビーム支持金具
Ｂ    ビーム
【図１】
0005417234.tif 000002
【図２】
0005417234.tif 000003
【図３】
0005417234.tif 000004
【図４】
0005417234.tif 000005
【図５】
0005417234.tif 000006
【図６】
0005417234.tif 000007
【図７】
0005417234.tif 000008
【図８】
0005417234.tif 000009
【図９】
0005417234.tif 000010